(57)【要約】      （修正有）【課題】医療従事者が留置針を生体の皮膚に穿刺して固定する際に、容易に使用できるとともに、留置中の留置針の離脱事故防止にも有用であって、かつ長時間留置針を穿刺される生体の負担を軽減し得る、留置針固定用テープを提供する。【解決手段】留置針の穿刺箇所に粘着面を被せ皮膚に接着し固定する第１固定部１１と、第１固定部１１と一体的に形成され、前記留置針の皮膚から突出した部位に巻き付けるための巻き付け部と巻き付け部端部に設けられた接着部を有する第２固定部１２と、第２固定部１２と略対称な形状を有する第３固定部１３とを備え、３つの固定部１３を順に留置針の穿刺された皮膚に巻きつけ接着することにより、容易にまた確実に留置針を固定でき、嵩張らずに留置針に巻き付け易くまた留置中に不意の外力が働いた場合にも剥がれにくい構造とする。【選択図】図１
0003152013.tif 000002
【実用新案登録請求の範囲】
【請求項１】
留置針を生体の皮膚表面から血管または組織に穿刺し留置している間、前記留置針を皮膚に固定するために使用される留置針固定用テープであって、
前記留置針固定用テープは、
前記留置針の生体の皮膚に穿刺している部位の上に、粘着面を被せ皮膚に接着し固定する第１固定部と、
前記第１固定部と一体的に形成され、前記留置針の皮膚から突出した部位に巻き付ける、細長の帯状の巻き付け部と、前記巻き付け部の端部に設けられた接着部と、を有する第２固定部と、
前記第１固定部と一体的に、前記第２固定部と所定の間隔を空けて形成され、前記第２固定部と略対称な形状を有する第３固定部と、を備え、
前記第１固定部は一方の面に粘着面を有し、
前記第２固定部および前記第３固定部の前記接着部は、前記第１固定部と同一または反対の面に粘着面を有し、先端に把持部分を有する構造であることを特徴とする留置針固定用テープ。
【請求項２】
請求項１に記載の留置針固定用テープにおいて、
前記第２固定部および／または前記第３固定部の前記巻き付け部の形状は、直線細長形状ではなく、留置針の皮膚から突出した部位に更に嵩張らずに巻き付け易いように、中央部が外向きに緩やかな曲線である細長帯状であることを特徴とする留置針固定用テープ。
【請求項３】
請求項１および２に記載の留置針固定用テープにおいて、
前記第２固定部および前記第３固定部の接着部の把持部分は、より強固に前記生体の皮膚に接着固定できるように、細長帯状の前記各巻き付け部の幅よりも広い部分を有することを特徴とする留置針固定用テープ。
【請求項４】
請求項１乃至３のいずれかに記載の留置針固定用テープにおいて、
前記第１固定部の形状は、横長長方形部分と、２箇所の突起部分を有する矩形形状部分を備え、前記２箇所の突起部分を有する矩形形状部分の一方の突起部分は前記第２固定部の巻き付け部に、他方の突起部分は第３固定部の巻き付け部にそれぞれ連結していることを特徴とする留置針固定用テープ。
【請求項５】
請求項１乃至４のいずれかに記載の留置針固定用テープにおいて、
生体の血管または組織に所定の期間留置される留置針の外針を、前記留置針固定用テープによって固定される生体は、人体であることを特徴とする留置針固定用テープ。
【考案の詳細な説明】
【技術分野】
【０００１】
本考案は、生体の皮膚に穿刺された留置針を容易に確実に固定でき、留置針の留置中も安定した皮膚への固定が確保でき、またその間に生体に与える負担を軽減できる留置針固定用テープに関する。
【背景技術】
【０００２】
従来は、生体の皮膚に穿刺された留置針を固定する際に、皮膚に穿刺された状態で長時間固定される留置針が、途中で皮膚から離脱することを防止するために、テープ及び包帯を何重にも患部に広範囲に巻き付けて固定することが必要とされており、生体に大きな負担を与えていた。
【０００３】
また医療従事者にとっても、長時間患者の皮膚に穿刺する必要のある留置針を、患者の皮膚に安全、確実に留置できるように固定することは容易ではなかった。手術時の輸血等緊急性を有する場合には患者への留置針の固定は、時間制約もあり医療従事者の負担となっている。
【０００４】
他方、現在では手術時の輸血の他にも、血液人工透析や手術後の患者に対する薬物投与等、医療現場において留置針を利用している患者の数は極めて多く、該留置針の固定方法の改善は、必要とされる有用な課題である。
【０００５】
そこで考案者は、留置針の固定に関し、安全で容易に使用でき、長時間にわたる留置針の固定を確保できると共に、生体に与える苦痛を緩和でき、同時に医療従事者の負担も軽減し得る本留置針固定用テープを考案した。
【先行技術文献】
【特許文献】
【０００６】
【特許文献１】特公平７−７３５９６
【考案の概要】
【考案が解決しようとする課題】
【０００７】
本考案は、医療従事者が留置針を生体の皮膚に穿刺して固定する際に、容易に使用できるとともに、留置中の留置針の離脱事故防止にも有用であって、かつ長時間留置針を穿刺される生体の負担を軽減し得る、留置針固定用テープを提供することを目的とする。
【課題を解決するための手段】
【０００８】
請求項１に記載された考案は、留置針を生体の皮膚表面から血管または組織に穿刺し留置している間、前記留置針を皮膚に固定するために使用される留置針固定用テープであって、
前記留置針固定用テープは、
前記留置針の生体の皮膚に穿刺している部位の上に、粘着面を被せ皮膚に接着し固定する第１固定部と、
前記第１固定部と一体的に形成され、前記留置針の皮膚から突出した部位に巻き付ける、細長の帯状を有する巻き付け部と、前記巻き付け部の端部に設けられた接着部と、を有する第２固定部と、
前記第１固定部と一体的に、前記第２固定部と所定の間隔を空けて形成され、前記第２固定部と略対称な形状を有する第３固定部と、を備え、
前記第１固定部は一方の面に粘着面を有し、
前記第２固定部および前記第３固定部の前記接着部は、前記第１固定部と同一または反対の面に粘着面を有し、先端に把持部分を有する構造であることを特徴とする。
【０００９】
請求項２に記載された考案は、請求項１に記載の留置針固定用テープに係り、
前記第２固定部および／または前記第３固定部の前記巻き付け部の形状は、直線細長形状ではなく、留置針の皮膚から突出した部位に嵩張らずに巻き付け易いように、中央部が外向きに緩やかな曲線を有する細長帯状であることを特徴とする。
【００１０】
請求項３に記載された考案は、請求項１および２に記載の留置針固定用テープに係り、
前記第２固定部および前記第３固定部の接着部の把持部分は、強固に接着固定できるように前記各巻き付け部の幅よりも広い部分を有することを特徴とする。
【００１１】
請求項４に記載された考案は、請求項１乃至３のいずれかに記載の留置針固定用テープに係り、
前記第１固定部の形状は、横長長方形部分と、２箇所の突起部分を有する矩形形状部分を備え、前記２箇所の突起部分を有する矩形形状部分の一方の突起部分は、前記第２固定部の巻き付け部に、他方の突起部分は第３固定部の巻き付け部にそれぞれ連結していることを特徴とする。
【００１２】
請求項５に記載された考案は、請求項１乃至４のいずれかに記載の留置針固定用テープに係り、
生体の血管または組織に所定の期間留置される留置針の外針を、前記留置針固定用テープによって固定される生体は、人体であることを特徴とする。
【考案の効果】
【００１３】
本考案に係る留置針固定用テープを皮膚に穿刺された状態で長時間留置される留置針の固定のために用いることにより、従来のようにテープで何重にも巻き付けて患部を広範囲に圧迫して固定するのではなく、３つの固定部を順番に接着することにより容易に確実に固定できる。従来の方法では生体の皮膚への接着面積が広範囲のため、皮膚等への刺激や圧迫が強く生体に大きな負担を強いていたが、本考案の固定用テープによれば、生体の皮膚への接着面積が小さく済み生体への負荷の軽減を実現できるとともに、該製品の安価な提供が可能である。
【図面の簡単な説明】
【００１４】
【図１】本考案に係る留置針固定用テープの構成を示す平面図である。
【図２】留置針に本考案に係る留置針固定用テープの第１固定部を貼った様子を上から見た平面図である。
【図３】留置針に本考案に係る留置針固定用テープの第２固定部を巻いて接着した様子を上から見た平面図である。
【図４】留置針に本考案に係る留置針固定用テープの第３固定部を巻いて接着した様子を上から見た平面図である。
【図５】留置針に留置針固定用テープを巻いて接着し固定した様子を示す斜視図である。
【図６】図１と異なる形状の本考案に係る留置針固定用テープの構成を示す平面図である。
【図７】図１と異なる形状の本考案に係る留置針固定用テープの構成を示す平面図である。
【考案を実施するための形態】
【００１５】
留置針を生体に固定するために使用が容易であって、生体に与える負担を最小限に留め、安全また確実に長時間固定できる留置針固定用テープを実現した。
【実施例１】
【００１６】
図１は、本考案に係る留置針固定用テープの概略を示す平面図である。
【００１７】
図１において、本考案に係る留置針固定用テープは３つの固定部を備え、１１は第１固定部であり、１２は第２固定部であり、１３は第３固定部である。
【００１８】
図１において、第２固定部１２は第１固定部１１の中央より右側に位置し、第１固定部１１と一体的に形成される。１２１は第２固定部１２の巻き付け部であり、１２３は接着部である。第２固定部１２は、巻きつけ部１２１と端部に形成された接着部１２３を備え、巻きつけ部１２１の端は第１固定部１１に連結している。巻き付け部１２１の形状は細い帯状であり、留置針に巻き付け易くなっている。
【００１９】
第３固定部１３は、第２固定部１２と略対称な形状を有し、第１固定部１１の中央より左側に第２固定部１２と所定の間隔をあけて配置され、同じく第１固定部１１と一体的に設けられている。第３固定部１３は、第２固定部１２と所定の間隔を空けて配置されていることによって、留置針に第２固定部を巻き付けた後第３固定部を巻きつける際に、嵩張らずに容易に巻くことができる。１３１は第３固定部１３の巻き付け部であり、１３３は接着部である。
【００２０】
なお図１において、第２固定部の巻き付け部１２１および第３固定部の巻き付け部１３１は細長い帯状であるが、この形状に限定されるものではなく、留置針に巻き付けやすい形状であることが重要である。
【００２１】
図６に示すように、巻き付け部の形状は、更に留置針に巻き付けやすいように、巻き付け部中央部に外向きに穏やかな丸みを有する曲線部が形成された形状であっても良い。図６において、６１は第１固定部であり、６２は第２固定部であり、６３は第３固定部である。６２１は第２固定部６２の巻き付け部であり、６２３は接着部である。同様に、６３１は第３固定部６３の第１固定部であり、６３３は接着部である。
【００２２】
第２固定部６２は、巻き付け部６２１と巻き付け部端部に形成された接着部６２３を備え、第３固定部も同様に第２固定部と略対称に、巻き付け部６３１と巻き付け部端部に形成された接着部６３３を備えている。図６においては、本考案に係る留置針固定用テープの巻き付け部の曲線形状にのみ特徴があり、３つの固定部を備えるテープ構成は、図１と同様である。
【００２３】
また図７においては、第２および第３固定部の巻き付け部の形状に新たな特徴を持たせ、更に留置針に巻き付け易い構造とした。図７においても、巻き付け部の形状にのみ特徴があり、３つの固定部を備えるテープの構成は、図１および図６と同様である。
【００２４】
図７において、７１は第１固定部であり、７２は第２固定部であり、７３は第３固定部である。７２１は第２固定部７２の巻き付け部Ａであり、７２２は第２固定部７２の巻き付け部Ｂであり、７２３は接着部である。同様に、７３１は第３固定部７３の巻きつけ部Ａであり、７３２は第２固定部７２の巻き付け部Ｂであり、７３３は接着部である。
【００２５】
第２固定部７２は、帯状の巻き付け部Ａ７２１と巻き付け部Ｂ７２２と巻き付け部端部に形成された接着部７２３を備え、第３固定部は第２固定部と略対称に、帯状の巻き付け部Ａ７３１と巻き付け部Ｂ７３２と巻き付け部端部に形成された接着部７３３を備えている。巻き付け部の形状が、図１のように一直線の帯状ではなく、途中で幅広になっているところに本考案の特徴があり、他の構成等は図１と同様である。巻きつけ部Ａ７２１の先端は第１固定部７１に連結し、また、巻きつけ部Ｂ７２２の先端は接着部７２３に連結している。巻き付け部Ａ７２１は細い帯状であって、嵩張らずに留置針に巻き付けることができ、また、巻き付け部Ｂ７２２の幅は巻き付け部Ａ７２１よりも少し太くなり接着部７２３に連結することにより、留置針の固定がより安定化すると考えられる。
【００２６】
また図１、図６、図７のいずれの形状の場合にも、第２固定部および第３固定部の各巻きつけ部には粘着面は設けられず、各巻きつけ部の端部に形成された接着部に、第１固定部とは同一または反対の面に、粘着面が設けられている。
【００２７】
図１において、１０１は第１固定部１１の粘着面であり、１０２は第２固定部１２の接着部１２３の粘着面であり、１０３は第３固定部１３の接着部１３３の粘着面である。第２固定部１２の接着部１２３は、第１固定部の粘着面１０１とは同一または反対の面が粘着面１０２となっている。第３固定部１３の接着部１３３も同様に、第１固定部の粘着面１０１とは同一または反対の面が粘着面１０３となっている。
【００２８】
図1において、１２４は第２固定部１２の接着部１２３の末端に位置する把持部分であって、巻きつけ部１２１および接着部１２３の幅よりも幅広になっている。但し、図１における接着部の形状は例示であって、これに限るものではない。接着部１２３が、把持部分１２４を有することにより、粘着面に張られている紙を剥がしやすく、また掴みやすくなっている。また接着部１２３がＬ字形状となることにより、第２固定部の接着力が安定化すると考えられる。
【００２９】
図1において、第３固定部１３は、第２固定部１２と所定の間隔をあけて、第１固定部１１と一体的に、また第２固定部１２と略対称に形成されており、その構造自体は第２固定部１２と類似である。具体的には、第３固定部１３は、第１固定部１１の中央より左側に位置し、第１固定部１１と一体的に形成され、細い帯状の巻きつけ部１３１と端部に形成された接着部１３３を備え、巻きつけ部１３１の一方の端は第１固定部１１に連結している。１３４は巻きつけ部１３１の他方の端に設けられた接着部１３３の端に形成された把持部分である。把持部分１３４の形状は、第２固定部の把持部分１２４と線対称の形状である。
【００３０】
また第２固定部と同様に、留置針に巻きつける巻き付け部１３１は幅の細い帯状であるため、嵩張らずに針に巻き付けやすい。なお図１において巻き付け部１３１は細長い帯状であるが、この形状に限定されるものではなく、図６のように巻き付け部中央に外向きに穏やかな丸みを有する曲線部が形成された形状であっても良いし、また、図７のように途中から少し幅広になる帯状形状であっても良い。
【００３１】
第１固定部１１に関して、図１において、１１１は第１固定部１１の横長の長方形部分であり、１１２は２箇所の突起部分を有する矩形形状部分である。１１３は１１２の２箇所の突起部分の間の部分である。第１固定部１１は、横長の長方形部分１１１と、２箇所の突起部分を有する矩形形状部分１１２を備え、一方の面全体に粘着面１０１を有している。１１２の２箇所の突起部分の右側突起部分は、第２固定部１２の巻きつけ部１２１の一方の端に連結し、１１２の２箇所の突起部分の左側突起部分は、第３固定部１３の巻きつけ部１３１の一方の端に連結している。矩形形状部分１１２の２箇所の突起部分の間に間隔を空けることにより、該テープを嵩張らずに留置針に巻き付けることができ、針の固定を安定化することができる。尚、この間隔の長さは第２固定部と第３固定部の間隔に対応するものであり、２箇所の突起部分の間の部分１１３にも粘着面を有することで、第２および第３固定部の針への巻き付けが安定化すると考えられる。
【００３２】
ただし、２箇所の突起部分を有する矩形形状部分１１２または１１２の２箇所の突起部分の間の部分１１３は、本考案に必須要件ではない。
【００３３】
本考案に係る留置針固定用テープは、第１固定部、第２固定部、第３固定部を順番に、生体の皮膚に穿刺された留置針に接着および巻き付けて接着することによって、容易に留置針を皮膚に固定でき、長時間に及ぶ留置針の留置中における安全で確実な固定を実現することができる。
【００３４】
図２、図３、図４は、患者の皮膚に穿刺され留置されている留置針に対し、本考案に係る留置針固定用テープを使用して針を固定する様子を、上から見て説明する平面図であって、２００は患者の皮膚に留置されている留置針である。本考案に係る留置針固定用テープの第１固定部、第２固定部、第３固定部を、図２、図３、図４の順番で患者の皮膚に穿刺されている留置針２００に使用することにより、針を皮膚に接着し安定した固定を得ることができる。
【００３５】
図２は、患者の皮膚に穿刺されている留置針２００の穿刺箇所に、上から留置針固定用テープの第１固定部１１の接着面１０１を貼った様子を示している。なお図２，３，４において、患者の皮膚は省略している。
【００３６】
図３は、穿刺されている留置針２００の皮膚から突き出した部分に、第２固定部１２の巻き付け部１２１を巻きつけ、患者の皮膚に接着部１２３を貼った様子を示している。
【００３７】
図４は、穿刺されている留置針２００の皮膚から突き出した部分に、更に第３固定部１３の巻き付け部１３１を巻きつけ、患者の皮膚に接着部１３３を貼った様子を示している。
【００３８】
本考案に係る留置針固定用テープは、図２に示すように、生体の皮膚に穿刺された留置針の上に、第１固定部１１の紙を剥がし粘着面を被せて接着固定し、次に、図３に示すように、第１固定部と一体的に形成された第２固定部１２の巻き付け部を、皮膚から斜めに突出している留置針２００（外針）の下に潜らせ右回りに巻いて留置針の上に被せ、皮膚から突き出している留置針外針２００と斜め逆方向の所定の位置に、該接着部１２３の紙を剥がし粘着面を皮膚に接着固定する。
【００３９】
次に、図４に示すように、第１固定部と一体的に形成された第３固定部１３の巻き付け部を、皮膚から斜めに突出している留置針２００（外針）の下に潜らせ左回りに巻いて留置針の上に被せ、留置針２００を挟んで第２固定部接着部１２３と対峙する所定の位置に、該接着部１３３の紙を剥がし粘着面を皮膚に接着し針を固定する。したがって図２、３、４に示すように、順番に第１固定部、第２固定部、第３固定部を皮膚に接着し留置針を固定することにより、固定テープの第１固定部、第２固定部、第３固定部の３箇所の接着面によって確実に留置針を固定することができる。
【００４０】
図５は、生体に穿刺されている留置針に本考案の留置針固定用テープを順番に巻いて接着し、固定した様子を示す斜視図である。
【００４１】
図５で明示されるように、該留置針固定用テープは、皮膚から斜めに突出している留置針（外針）とは逆方向の場所で皮膚に接着固定している。ゆえに該皮膚から斜めに突出している留置針（外針）２００には、本考案の留置針固定用テープを貼った後も、適度の弾力性と柔軟性が残されていることが特徴であって、この点においても従来の留置針のテープ、包帯等における圧迫固定の方法とは大きく異なる。その結果、留置針の留置中に不意の外力が留置針に働いた場合にも、留置針固定用テープの皮膚との接着は剥がれにくいと考えられる。
【００４２】
また、図５で示されるように、留置針の穿刺後の治療においては、留置針に対する作業等が行い易いため、効率的に治療が続行できる。例えば、ひとつの治療が完了し次の治療に移行する際等、針を抜きたい場合には、第３固定部の接着面を剥がし、巻き付け部を逆向きに回してほどき、粘着面を皮膚に一時置きし、次に、第２固定部の接着面を剥がし、巻き付け部を逆向きに回してほどき、粘着面を皮膚に一時置きし、第１固定部の接着は維持した状態で、薬剤または血液の流れているチューブをクリップで止めれば、容易にかつ安全に針を抜くことができる。
【００４３】
尚、本考案に係る留置針固定用テープにより留置針を固定した後の処置に関しては、公知であるため省略する。
【００４４】
また、人体の腕、脚、および首は、本考案に係る留置針固定用テープによる留置針の固定に特に好適であるが、それ以外にも人体の腹、顔等、留置針の留置が望まれる種々の場所においてもテープを貼れる程度の小さい面積を有する場所であれば、適応することができ、その応用範囲は極めて広いと思われる。また本考案に係る留置針固定用テープの使用は、人体に限らずペット等動物の場合にも極めて有用である。
【産業上の利用可能性】
【００４５】
留置針の生体の皮膚への固定に要する時間が短縮でき、医療従事者の負荷軽減に役立ち、また長時間留置針を皮膚に留置される患者に、大きな負担を強いることなく安全に長時間固定できるため、幅広い世代の患者やペットにも適用できると共に、迅速な対応の不可欠な緊急医療の現場での用途にも適応できる。
【符号の説明】
【００４６】
１１      第１固定部
１２      第２固定部
１３      第３固定部
１０１      第１固定部粘着面
１０２      第２固定部接着部粘着面
１０３      第３固定部接着部粘着面
１１１      第１固定部長方形部分
１１２      第１固定部の２箇所の突起部分を有する矩形形状部分
１１３      第１固定部の矩形形状部分の２箇所の突起の間の間隔部分
１２１      第２固定部１２の巻きつけ部
１２３      第２固定部１２の接着部
１２４      接着部１２３の把持部分
１３１      第３固定部１３の巻きつけ部
１３３      第３固定部１３の接着部
１３４      接着部１３３の把持部分
【図１】
0003152013.tif 000003
【図２】
0003152013.tif 000004
【図３】
0003152013.tif 000005
【図４】
0003152013.tif 000006
【図５】
0003152013.tif 000007
【図６】
0003152013.tif 000008
【図７】
0003152013.tif 000009
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
留置針を生体の皮膚表面から血管または組織に穿刺し留置している間、前記留置針を皮膚に固定するために使用される留置針固定用テープであって、
前記留置針固定用テープは、
前記留置針の生体の皮膚に穿刺している部位の上に、粘着面を被せ皮膚に接着し固定する第１固定部と、
前記第１固定部と一体的に形成され、前記留置針の皮膚から突出した部位に巻き付ける、細長の帯状の巻き付け部と、前記巻き付け部の端部に設けられた接着部と、を有する第２固定部と、
前記第１固定部と一体的に、前記第２固定部と所定の間隔を空けて形成され、前記第２固定部と略対称な形状を有する第３固定部と、を備え、
前記第１固定部は一方の面に粘着面を有し、
前記第２固定部および前記第３固定部の前記接着部は、前記第１固定部と同一または反対の面に粘着面を有し、先端に把持部分を有する構造であることを特徴とする留置針固定用テープ。
【請求項２】
請求項１に記載の留置針固定用テープにおいて、
前記第２固定部および／または前記第３固定部の前記巻き付け部の形状は、直線細長形状ではなく、留置針の皮膚から突出した部位に更に嵩張らずに巻き付け易いように、中央部が外向きに緩やかな曲線である細長帯状であることを特徴とする留置針固定用テープ。
【請求項３】
請求項１または２に記載の留置針固定用テープにおいて、
前記第２固定部および前記第３固定部の接着部の把持部分は、より強固に前記生体の皮膚に接着固定できるように、細長帯状の前記各巻き付け部の幅よりも広い部分を有することを特徴とする留置針固定用テープ。
【請求項４】
請求項１乃至３のいずれかに記載の留置針固定用テープにおいて、
前記第１固定部の形状は、横長長方形部分と、２箇所の突起部分を有する矩形形状部分を備え、前記２箇所の突起部分を有する矩形形状部分の一方の突起部分は前記第２固定部の巻き付け部に、他方の突起部分は第３固定部の巻き付け部にそれぞれ連結していることを特徴とする留置針固定用テープ。
【請求項５】
請求項１乃至４のいずれかに記載の留置針固定用テープにおいて、
生体の血管または組織に所定の期間留置される留置針の外針を、前記留置針固定用テープによって固定される生体は、人体であることを特徴とする留置針固定用テープ。
【手続補正２】
【補正対象書類名】明細書
【補正対象項目名】全文
【補正方法】変更
【補正の内容】
【考案の詳細な説明】
【技術分野】
【０００１】
本考案は、生体の皮膚に穿刺された留置針を容易に確実に固定でき、留置針の留置中も安定した皮膚への固定が確保でき、またその間に生体に与える負担を軽減できる留置針固定用テープに関する。
【背景技術】
【０００２】
従来は、生体の皮膚に穿刺された留置針を固定する際に、皮膚に穿刺された状態で長時間固定される留置針が、途中で皮膚から離脱することを防止するために、テープ及び包帯を何重にも患部に広範囲に巻き付けて固定することが必要とされており、生体に大きな負担を与えていた。
【０００３】
また医療従事者にとっても、長時間患者の皮膚に穿刺する必要のある留置針を、患者の皮膚に安全、確実に留置できるように固定することは容易ではなかった。手術時の輸血等緊急性を有する場合には患者への留置針の固定は、時間制約もあり医療従事者の負担となっている。
【０００４】
他方、現在では手術時の輸血の他にも、血液人工透析や手術後の患者に対する薬物投与等、医療現場において留置針を利用している患者の数は極めて多く、該留置針の固定方法の改善は、必要とされる有用な課題である。
【０００５】
そこで考案者は、留置針の固定に関し、安全で容易に使用でき、長時間にわたる留置針の固定を確保できると共に、生体に与える苦痛を緩和でき、同時に医療従事者の負担も軽減し得る本留置針固定用テープを考案した。
【先行技術文献】
【特許文献】
【０００６】
【特許文献１】特公平７−７３５９６
【考案の概要】
【考案が解決しようとする課題】
【０００７】
本考案は、医療従事者が留置針を生体の皮膚に穿刺して固定する際に、容易に使用できるとともに、留置中の留置針の離脱事故防止にも有用であって、かつ長時間留置針を穿刺される生体の負担を軽減し得る、留置針固定用テープを提供することを目的とする。
【課題を解決するための手段】
【０００８】
請求項１に記載された考案は、留置針を生体の皮膚表面から血管または組織に穿刺し留置している間、前記留置針を皮膚に固定するために使用される留置針固定用テープであって、
前記留置針固定用テープは、
前記留置針の生体の皮膚に穿刺している部位の上に、粘着面を被せ皮膚に接着し固定する第１固定部と、
前記第１固定部と一体的に形成され、前記留置針の皮膚から突出した部位に巻き付ける、細長の帯状を有する巻き付け部と、前記巻き付け部の端部に設けられた接着部と、を有する第２固定部と、
前記第１固定部と一体的に、前記第２固定部と所定の間隔を空けて形成され、前記第２固定部と略対称な形状を有する第３固定部と、を備え、
前記第１固定部は一方の面に粘着面を有し、
前記第２固定部および前記第３固定部の前記接着部は、前記第１固定部と同一または反対の面に粘着面を有し、先端に把持部分を有する構造であることを特徴とする。
【０００９】
請求項２に記載された考案は、請求項１に記載の留置針固定用テープに係り、
前記第２固定部および／または前記第３固定部の前記巻き付け部の形状は、直線細長形状ではなく、留置針の皮膚から突出した部位に嵩張らずに巻き付け易いように、中央部が外向きに緩やかな曲線を有する細長帯状であることを特徴とする。
【００１０】
請求項３に記載された考案は、請求項１または２に記載の留置針固定用テープに係り、
前記第２固定部および前記第３固定部の接着部の把持部分は、強固に接着固定できるように前記各巻き付け部の幅よりも広い部分を有することを特徴とする。
【００１１】
請求項４に記載された考案は、請求項１乃至３のいずれかに記載の留置針固定用テープに係り、
前記第１固定部の形状は、横長長方形部分と、２箇所の突起部分を有する矩形形状部分を備え、前記２箇所の突起部分を有する矩形形状部分の一方の突起部分は、前記第２固定部の巻き付け部に、他方の突起部分は第３固定部の巻き付け部にそれぞれ連結していることを特徴とする。
【００１２】
請求項５に記載された考案は、請求項１乃至４のいずれかに記載の留置針固定用テープに係り、
生体の血管または組織に所定の期間留置される留置針の外針を、前記留置針固定用テープによって固定される生体は、人体であることを特徴とする。
【考案の効果】
【００１３】
本考案に係る留置針固定用テープを皮膚に穿刺された状態で長時間留置される留置針の固定のために用いることにより、従来のようにテープで何重にも巻き付けて患部を広範囲に圧迫して固定するのではなく、３つの固定部を順番に接着することにより容易に確実に固定できる。従来の方法では生体の皮膚への接着面積が広範囲のため、皮膚等への刺激や圧迫が強く生体に大きな負担を強いていたが、本考案の固定用テープによれば、生体の皮膚への接着面積が小さく済み生体への負荷の軽減を実現できるとともに、該製品の安価な提供が可能である。
【図面の簡単な説明】
【００１４】
【図１】本考案に係る留置針固定用テープの構成を示す平面図である。
【図２】留置針に本考案に係る留置針固定用テープの第１固定部を貼った様子を上から見た平面図である。
【図３】留置針に本考案に係る留置針固定用テープの第２固定部を巻いて接着した様子を上から見た平面図である。
【図４】留置針に本考案に係る留置針固定用テープの第３固定部を巻いて接着した様子を上から見た平面図である。
【図５】留置針に留置針固定用テープを巻いて接着し固定した様子を示す斜視図である。
【図６】図１と異なる形状の本考案に係る留置針固定用テープの構成を示す平面図である。
【図７】図１と異なる形状の本考案に係る留置針固定用テープの構成を示す平面図である。
【考案を実施するための形態】
【００１５】
留置針を生体に固定するために使用が容易であって、生体に与える負担を最小限に留め、安全また確実に長時間固定できる留置針固定用テープを実現した。
【実施例１】
【００１６】
図１は、本考案に係る留置針固定用テープの概略を示す平面図である。
【００１７】
図１において、本考案に係る留置針固定用テープは３つの固定部を備え、１１は第１固定部であり、１２は第２固定部であり、１３は第３固定部である。
【００１８】
図１において、第２固定部１２は第１固定部１１の中央より右側に位置し、第１固定部１１と一体的に形成される。１２１は第２固定部１２の巻き付け部であり、１２３は接着部である。第２固定部１２は、巻きつけ部１２１と端部に形成された接着部１２３を備え、巻きつけ部１２１の端は第１固定部１１に連結している。巻き付け部１２１の形状は細い帯状であり、留置針に巻き付け易くなっている。
【００１９】
第３固定部１３は、第２固定部１２と略対称な形状を有し、第１固定部１１の中央より左側に第２固定部１２と所定の間隔をあけて配置され、同じく第１固定部１１と一体的に設けられている。第３固定部１３は、第２固定部１２と所定の間隔を空けて配置されていることによって、留置針に第２固定部を巻き付けた後第３固定部を巻きつける際に、嵩張らずに容易に巻くことができる。１３１は第３固定部１３の巻き付け部であり、１３３は接着部である。
【００２０】
なお図１において、第２固定部の巻き付け部１２１および第３固定部の巻き付け部１３１は細長い帯状であるが、この形状に限定されるものではなく、留置針に巻き付けやすい形状であることが重要である。
【００２１】
図６に示すように、巻き付け部の形状は、更に留置針に巻き付けやすいように、巻き付け部中央部に外向きに穏やかな丸みを有する曲線部が形成された形状であっても良い。図６において、６１は第１固定部であり、６２は第２固定部であり、６３は第３固定部である。６２１は第２固定部６２の巻き付け部であり、６２３は接着部である。同様に、６３１は第３固定部６３の第１固定部であり、６３３は接着部である。
【００２２】
第２固定部６２は、巻き付け部６２１と巻き付け部端部に形成された接着部６２３を備え、第３固定部も同様に第２固定部と略対称に、巻き付け部６３１と巻き付け部端部に形成された接着部６３３を備えている。図６においては、本考案に係る留置針固定用テープの巻き付け部の曲線形状にのみ特徴があり、３つの固定部を備えるテープ構成は、図１と同様である。
【００２３】
また図７においては、第２および第３固定部の巻き付け部の形状に新たな特徴を持たせ、更に留置針に巻き付け易い構造とした。図７においても、巻き付け部の形状にのみ特徴があり、３つの固定部を備えるテープの構成は、図１および図６と同様である。
【００２４】
図７において、７１は第１固定部であり、７２は第２固定部であり、７３は第３固定部である。７２１は第２固定部７２の巻き付け部Ａであり、７２２は第２固定部７２の巻き付け部Ｂであり、７２３は接着部である。同様に、７３１は第３固定部７３の巻きつけ部Ａであり、７３２は第２固定部７２の巻き付け部Ｂであり、７３３は接着部である。
【００２５】
第２固定部７２は、帯状の巻き付け部Ａ７２１と巻き付け部Ｂ７２２と巻き付け部端部に形成された接着部７２３を備え、第３固定部は第２固定部と略対称に、帯状の巻き付け部Ａ７３１と巻き付け部Ｂ７３２と巻き付け部端部に形成された接着部７３３を備えている。巻き付け部の形状が、図１のように一直線の帯状ではなく、途中で幅広になっているところに本考案の特徴があり、他の構成等は図１と同様である。巻きつけ部Ａ７２１の先端は第１固定部７１に連結し、また、巻きつけ部Ｂ７２２の先端は接着部７２３に連結している。巻き付け部Ａ７２１は細い帯状であって、嵩張らずに留置針に巻き付けることができ、また、巻き付け部Ｂ７２２の幅は巻き付け部Ａ７２１よりも少し太くなり接着部７２３に連結することにより、留置針の固定がより安定化すると考えられる。
【００２６】
また図１、図６、図７のいずれの形状の場合にも、第２固定部および第３固定部の各巻きつけ部には粘着面は設けられず、各巻きつけ部の端部に形成された接着部に、第１固定部とは同一または反対の面に、粘着面が設けられている。
【００２７】
図１において、１０１は第１固定部１１の粘着面であり、１０２は第２固定部１２の接着部１２３の粘着面であり、１０３は第３固定部１３の接着部１３３の粘着面である。第２固定部１２の接着部１２３は、第１固定部の粘着面１０１とは同一または反対の面が粘着面１０２となっている。第３固定部１３の接着部１３３も同様に、第１固定部の粘着面１０１とは同一または反対の面が粘着面１０３となっている。
【００２８】
図1において、１２４は第２固定部１２の接着部１２３の末端に位置する把持部分であって、巻きつけ部１２１および接着部１２３の幅よりも幅広になっている。但し、図１における接着部の形状は例示であって、これに限るものではない。接着部１２３が、把持部分１２４を有することにより、粘着面に張られている紙を剥がしやすく、また掴みやすくなっている。また接着部１２３がＬ字形状となることにより、第２固定部の接着力が安定化すると考えられる。
【００２９】
図1において、第３固定部１３は、第２固定部１２と所定の間隔をあけて、第１固定部１１と一体的に、また第２固定部１２と略対称に形成されており、その構造自体は第２固定部１２と類似である。具体的には、第３固定部１３は、第１固定部１１の中央より左側に位置し、第１固定部１１と一体的に形成され、細い帯状の巻きつけ部１３１と端部に形成された接着部１３３を備え、巻きつけ部１３１の一方の端は第１固定部１１に連結している。１３４は巻きつけ部１３１の他方の端に設けられた接着部１３３の端に形成された把持部分である。把持部分１３４の形状は、第２固定部の把持部分１２４と線対称の形状である。
【００３０】
また第２固定部と同様に、留置針に巻きつける巻き付け部１３１は幅の細い帯状であるため、嵩張らずに針に巻き付けやすい。なお図１において巻き付け部１３１は細長い帯状であるが、この形状に限定されるものではなく、図６のように巻き付け部中央に外向きに穏やかな丸みを有する曲線部が形成された形状であっても良いし、また、図７のように途中から少し幅広になる帯状形状であっても良い。
【００３１】
第１固定部１１に関して、図１において、１１１は第１固定部１１の横長の長方形部分であり、１１２は２箇所の突起部分を有する矩形形状部分である。１１３は１１２の２箇所の突起部分の間の部分である。第１固定部１１は、横長の長方形部分１１１と、２箇所の突起部分を有する矩形形状部分１１２を備え、一方の面全体に粘着面１０１を有している。１１２の２箇所の突起部分の右側突起部分は、第２固定部１２の巻きつけ部１２１の一方の端に連結し、１１２の２箇所の突起部分の左側突起部分は、第３固定部１３の巻きつけ部１３１の一方の端に連結している。矩形形状部分１１２の２箇所の突起部分の間に間隔を空けることにより、該テープを嵩張らずに留置針に巻き付けることができ、針の固定を安定化することができる。尚、この間隔の長さは第２固定部と第３固定部の間隔に対応するものであり、２箇所の突起部分の間の部分１１３にも粘着面を有することで、第２および第３固定部の針への巻き付けが安定化すると考えられる。
【００３２】
ただし、２箇所の突起部分を有する矩形形状部分１１２または１１２の２箇所の突起部分の間の部分１１３は、本考案に必須要件ではない。
【００３３】
本考案に係る留置針固定用テープは、第１固定部、第２固定部、第３固定部を順番に、生体の皮膚に穿刺された留置針に接着および巻き付けて接着することによって、容易に留置針を皮膚に固定でき、長時間に及ぶ留置針の留置中における安全で確実な固定を実現することができる。
【００３４】
図２、図３、図４は、患者の皮膚に穿刺され留置されている留置針に対し、本考案に係る留置針固定用テープを使用して針を固定する様子を、上から見て説明する平面図であって、２００は患者の皮膚に留置されている留置針である。本考案に係る留置針固定用テープの第１固定部、第２固定部、第３固定部を、図２、図３、図４の順番で患者の皮膚に穿刺されている留置針２００に使用することにより、針を皮膚に接着し安定した固定を得ることができる。
【００３５】
図２は、患者の皮膚に穿刺されている留置針２００の穿刺箇所に、上から留置針固定用テープの第１固定部１１の接着面１０１を貼った様子を示している。なお図２，３，４において、患者の皮膚は省略している。
【００３６】
図３は、穿刺されている留置針２００の皮膚から突き出した部分に、第２固定部１２の巻き付け部１２１を巻きつけ、患者の皮膚に接着部１２３を貼った様子を示している。
【００３７】
図４は、穿刺されている留置針２００の皮膚から突き出した部分に、更に第３固定部１３の巻き付け部１３１を巻きつけ、患者の皮膚に接着部１３３を貼った様子を示している。
【００３８】
本考案に係る留置針固定用テープは、図２に示すように、生体の皮膚に穿刺された留置針の上に、第１固定部１１の紙を剥がし粘着面を被せて接着固定し、次に、図３に示すように、第１固定部と一体的に形成された第２固定部１２の巻き付け部を、皮膚から斜めに突出している留置針２００（外針）の下に潜らせ右回りに巻いて留置針の上に被せ、皮膚から突き出している留置針外針２００と斜め逆方向の所定の位置に、該接着部１２３の紙を剥がし粘着面を皮膚に接着固定する。
【００３９】
次に、図４に示すように、第１固定部と一体的に形成された第３固定部１３の巻き付け部を、皮膚から斜めに突出している留置針２００（外針）の下に潜らせ左回りに巻いて留置針の上に被せ、留置針２００を挟んで第２固定部接着部１２３と対峙する所定の位置に、該接着部１３３の紙を剥がし粘着面を皮膚に接着し針を固定する。したがって図２、３、４に示すように、順番に第１固定部、第２固定部、第３固定部を皮膚に接着し留置針を固定することにより、固定テープの第１固定部、第２固定部、第３固定部の３箇所の接着面によって確実に留置針を固定することができる。
【００４０】
図５は、生体に穿刺されている留置針に本考案の留置針固定用テープを順番に巻いて接着し、固定した様子を示す斜視図である。
【００４１】
図５で明示されるように、該留置針固定用テープは、皮膚から斜めに突出している留置針（外針）とは逆方向の場所で皮膚に接着固定している。ゆえに該皮膚から斜めに突出している留置針（外針）２００には、本考案の留置針固定用テープを貼った後も、適度の弾力性と柔軟性が残されていることが特徴であって、この点においても従来の留置針のテープ、包帯等における圧迫固定の方法とは大きく異なる。その結果、留置針の留置中に不意の外力が留置針に働いた場合にも、留置針固定用テープの皮膚との接着は剥がれにくいと考えられる。
【００４２】
また、図５で示されるように、留置針の穿刺後の治療においては、留置針に対する作業等が行い易いため、効率的に治療が続行できる。例えば、ひとつの治療が完了し次の治療に移行する際等、針を抜きたい場合には、第３固定部の接着面を剥がし、巻き付け部を逆向きに回してほどき、粘着面を皮膚に一時置きし、次に、第２固定部の接着面を剥がし、巻き付け部を逆向きに回してほどき、粘着面を皮膚に一時置きし、第１固定部の接着は維持した状態で、薬剤または血液の流れているチューブをクリップで止めれば、容易にかつ安全に針を抜くことができる。
【００４３】
尚、本考案に係る留置針固定用テープにより留置針を固定した後の処置に関しては、公知であるため省略する。
【００４４】
また、人体の腕、脚、および首は、本考案に係る留置針固定用テープによる留置針の固定に特に好適であるが、それ以外にも人体の腹、顔等、留置針の留置が望まれる種々の場所においてもテープを貼れる程度の小さい面積を有する場所であれば、適応することができ、その応用範囲は極めて広いと思われる。また本考案に係る留置針固定用テープの使用は、人体に限らずペット等動物の場合にも極めて有用である。
【産業上の利用可能性】
【００４５】
留置針の生体の皮膚への固定に要する時間が短縮でき、医療従事者の負荷軽減に役立ち、また長時間留置針を皮膚に留置される患者に、大きな負担を強いることなく安全に長時間固定できるため、幅広い世代の患者やペットにも適用できると共に、迅速な対応の不可欠な緊急医療の現場での用途にも適応できる。
【符号の説明】
【００４６】
１１      第１固定部
１２      第２固定部
１３      第３固定部
１０１      第１固定部粘着面
１０２      第２固定部接着部粘着面
１０３      第３固定部接着部粘着面
１１１      第１固定部長方形部分
１１２      第１固定部の２箇所の突起部分を有する矩形形状部分
１１３      第１固定部の矩形形状部分の２箇所の突起の間の間隔部分
１２１      第２固定部１２の巻きつけ部
１２３      第２固定部１２の接着部
１２４      接着部１２３の把持部分
１３１      第３固定部１３の巻きつけ部
１３３      第３固定部１３の接着部
１３４      接着部１３３の把持部分